(57)【特許請求の範囲】
【請求項１】
前方が開口した箱状の枠体からなる機器と、この機器の前記開口の周囲に形成した機器側枠片と、この機器側枠片と対向する扉側枠片を設けた扉と、この扉の一方が前記機器側枠片に開閉自在に設けられる開閉手段と、前記扉の他方を機器側枠片に着脱自在に固定する固定手段とを備え、前記開閉手段を、前記機器側枠片に収納部が形成されるように突出し設けられる基部と、この基部の端部より垂直状に突出し設けられ前記扉の内側に対応する係止部とを設けた取付部と、前記扉側枠片に扉の側壁端部が露出するように側壁内面より開口し、前記取付部の基部が嵌挿するように設けた取付孔とにより形成し、前記扉の閉鎖時に前記収納部の側方に位置していた扉の側壁端部が扉の開放時には前記収納部の奥側に移動しながら扉が開放される構成とした機器の扉開閉装置。
【請求項２】
扉の固定手段を、機器側枠片に設けられ、中央部分に固定孔を有した台形状の固定板と、この固定板の固定孔に係合し、固定されるように前記扉の裏側に設けた固定突部および、前記固定板の台形状部が係合し、案内されるように扉側枠片に形状した切欠きとにより構成した請求項１記載の機器の扉開閉装置。
【請求項３】
係止部の上方に機器側枠片に向かい突出し、扉の閉鎖時に、扉側枠片の内面を前記機器側枠片側に押圧する押圧部を設けた請求項１記載の機器の扉開閉装置。
【請求項４】
基部を垂直片と水平片により角形状に形成した請求項１または３記載の機器の扉開閉装置。
【請求項５】
基部を円弧面により円弧状に形成した請求項１または３記載の機器の扉開閉装置。
【発明の詳細な説明】
【０００１】
【発明の属する技術分野】
本発明は、開閉自在な扉を設けた機器の扉開閉装置に関する。
【０００２】
【従来の技術】
近年、点検等を容易にするために、前方側に開閉自在な扉を設けた機器が普及されるに伴い、機器外観を良くするとともに扉が容易に着脱できる機器の扉開閉装置の要求が高まってきている。
【０００３】
従来、この種の機器の扉開閉装置の一例として図１２に示すものが知られていた。以下、その構成について図１２を参照しながら説明する。
【０００４】
図に示すように、機器１０１と機器１０１に設けられる扉１０２のいずれにも、蝶番１０３の厚み寸法だけ絞り加工により凹部１０４を形成し、蝶番１０３の一方を機器１０１に、他方を扉１０２に溶接等により取り付けていた。
【０００５】
【発明が解決しようとする課題】
このような従来の機器の扉開閉装置では、蝶番１０３の中央部分が機器１０１外に突出し形成されるので外観が悪く、また、蝶番１０３を取り付けるために機器１０１と扉１０２に絞り加工により凹部１０４を形成する必要があるとともに、取り付けられた扉は取り外せないという課題があった。
【０００６】
本発明は、上記課題を解決するもので、扉の開閉手段が外部に露出しないようにして外観を良くするとともに、絞り加工の必要がなく、扉の着脱を可能にした機器の扉開閉装置を提供することを目的とする。
【０００７】
【課題を解決するための手段】
本発明の機器の扉開閉手段においては、前方が開口した箱状の枠体からなる機器と、この機器の前記開口の周囲に形成した機器側枠片と、この機器側枠片と対向する扉側枠片を設けた扉と、この扉の一方が前記機器側枠片に開閉自在に設けられる開閉手段と、前記扉の他方を機器側枠片に着脱自在に固定する固定手段とを備え、前記開閉手段を、前記機器側枠片に収納部が形成されるように突出し設けられる基部と、この基部の端部より垂直状に突出し設けられ前記扉の内側に対応する係止部とを設けた取付部と、前記扉側枠片に扉の側壁端部が露出するように側壁内面より開口し、前記取付部の基部が嵌挿するように設けた取付孔とにより形成し、前記扉の閉鎖時に前記収納部の側方に位置していた扉の側壁端部が、扉の開放時には、前記収納部の奥側に移動しながら扉が開放される構成としたものである。
【０００８】
この本発明によれば、扉の開閉手段が外部に露出しないようにして外観を良くするとともに、絞り加工の必要がなく、扉の着脱を可能にした機器の扉開閉装置を提供することができる。
【０００９】
【発明の実施の形態】
本発明の請求項１に記載の発明は、前方が開口した箱状の枠体からなる機器と、この機器の前記開口周囲に形成した機器側枠片と、この機器側枠片と対向する扉側枠片を設けた扉と、この扉の一方が前記機器側枠片に開閉自在に設けられる開閉手段と、前記扉の他方を機器側枠片に着脱自在に固定する固定手段とを備え、前記開閉手段を、前記機器側枠片に収納部が形成されるように突出し設けられる基部と、この基部の端部より垂直状に突出し設けられ、前記扉の内側に対応する係止部とを設けた取付部と、前記扉側枠片に扉の側壁端部が露出するように側壁内面より開口し、前記取付部の基部が嵌挿するように設けた取付孔とにより形成し、前記扉の閉鎖時に前記収納部の側方に位置していた扉の側壁端部が、扉の解放時には、前記収納部の奥側に移動しながら扉が開放される構成としたことにより、機器に扉を開閉自在に設ける開閉手段が機器側枠片と扉側枠片との間に介在されることで、機器外に露出されることなく外観が良くなるとともに、絞り加工の必要もなく、また、扉が容易に着脱することができるという作用を有する。
【００１０】
以下、本発明の実施の形態について図１〜図１１を参照しながら説明する。
（実施の形態１）
図１〜図７に示すように、前方が開口した箱状で内部に送風機１を収納し、上部にダクト接続部２を設けた枠体からなる機器３の開口周囲に機器側枠片４を形成し、機器側枠片４と対向するように扉５に扉側枠片６を設け、機器側枠片４には収納部７が形成されるように突出し設けられる基部８と、基部８の端部より垂直状に突出し設けられる扉５の内側に対応する係止部９とを設けた取付部１０と、扉側枠片６に扉５の側壁５ａの側壁端部５ｂが露出するように側壁５ａ内面より開口し、取付部１０の基部８が嵌挿するように設けた取付孔１１とにより扉５の一方を機器側枠片４に開閉自在に設けられる開閉手段１２を形成する。
【００１１】
また、機器側枠片４の他方側に中央部分に固定孔１３を有した台形状の固定板１４を設け、固定板１４の固定孔１３に係合し固定される固定突部１５を扉５の裏面に設け、固定板１４の台形状部が係合し案内されるように扉側枠片６に切欠き１６を設け固定手段１７を構成する。
【００１２】
上記構成において、扉５を機器３に取り付けるときには、扉５の扉側枠片６に設けた取付孔１１を機器側枠片４に設けた取付部１０の係止部９および、基部８に嵌挿し、係止部９を扉５の内側に対応させ、扉５の側壁５ａを収納部７の側方に位置させ、側壁端部５ｂが機器側枠片４に対向するようにして扉５が閉鎖状態に取り付けられ、扉５の他方側は、扉５に設けた切欠き１６が機器側枠片４に設けた固定板１４の台形状部に係合し、所定の位置に案内され扉５に設けた固定突部１５が機器側枠片４に設けた固定孔１３に嵌合し固定される。
【００１３】
そして、扉５の開放時には、扉５の固定手段１７の固定を解除するように扉５を手前に引張ると、扉５は、扉５の側壁端部５ｂが収納部７の奥側に移動しながら扉５は回動して開放され、係止部９が扉５の扉側枠片６の内面側に当接して受け止められ、扉５は開放状態で保持される。
【００１４】
このように本発明の実施の形態１の機器の扉開閉装置によれば、扉の開閉手段１２を、機器側枠片４に収納部７が形成されるように突出し設けられる基部８と、この基部８の端部より垂直状に突出し設けられる係止部９とを設けた取付部１０と、扉側枠片６に扉５の側壁端部５ｂが露出するように側壁５ａ内面より開口し、取付部１０の基部８が嵌挿するように設けた取付孔１１とにより形成したので、扉５を開閉する扉５の開閉手段１２は機器側枠片４と扉側枠片６間に介在され、機器３外に露出することがなくなり、機器３の外観が良くなるとともに、開閉手段１２は絞り加工により凹部を設けて溶接により取り付ける必要がなくなり、扉５を取付後も必要に応じて工具等を用いることなく簡単に取り外すことができることとなる。
【００１５】
また、扉５の固定手段１２を機器側枠片４に設けた固定孔１３を有した台形状の固定板１４と、固定孔１３に嵌合する固定突部１５および、固定板１４が係合する切欠き１６を設けたので、扉５の固定時に扉５が所定位置に案内されて確実に固定されることとなる。
（実施の形態２）
図８および図９に示すように、係止部９Ａの上方に機器側枠片４Ａに向かい突出し、扉５の閉鎖時に扉側枠片６Ａの内面６ａを機器側枠片４Ａ側に押圧する押圧部１８を設け、基部８Ａを垂直片８ａと水平片８ｂにより角形状に形成する。
【００１６】
上記構成において、扉５の閉鎖時には、機器３Ａに設けた機器側枠片４Ａに扉側枠片６Ａが、機器側枠片４Ａの係止部９Ａに設けた押圧部１８により押圧され、機器側枠片４Ａに扉側枠片６Ａが密着して閉鎖される。
【００１７】
このように本発明の実施の形態２の機器の扉開閉装置によれば、係止部９Ａの上方に機器側枠片４Ａに向かい扉側枠片６Ａを押圧する押圧部１８を設けたので、扉５の閉鎖時に扉側枠片６Ａを機器側枠片４Ａに密着させて閉鎖することができる。
【００１８】
また、基部８Ａを垂直片８ａと水平片８ｂにより角形状に形成したので、基部８Ａの加工性が向上する。
（実施の形態３）
図１０および図１１に示すように、基部８Ｂを円弧面１９により円弧状に形成する。
【００１９】
上記構成において、扉５の閉鎖時に、扉５の扉側枠片６Ｂに設けた取付孔１１が基部８Ｂの円弧面１９に沿い移動して扉５が開閉される。
【００２０】
このように本発明の実施の形態３の機器の扉開閉装置によれば、基部８Ｂを円弧面１９により円弧状に形成したので、扉５の開閉時に基部８Ｂに係合している扉側枠片６Ｂの取付孔１１部分が円弧面１９に沿い移動して扉５が開閉されることとなり、扉５の開閉がスムーズで軽やかに行うことができる。
【００２１】
【発明の効果】
以上の実施の形態から明らかなように、本発明によれば前方が開口した箱状の枠体からなる機器と、この機器の前記開口の周囲に形成した機器側枠片と、この機器側枠片と対向する扉側枠片を設けた扉と、この扉の一方が前記機器側枠片に開閉自在に設けられる開閉手段と、前記扉の他方を機器側枠片に着脱自在に固定する固定手段とを備え、前記開閉手段を、前記機器側枠片に収納部が形成されるように突出し設けられる基部と、この基部の端部より垂直状に突出し設けられ前記扉の内側に対応する係止部とを設けた取付部と、前記扉側枠片に扉の側壁端部が露出するように側壁内面より開口し、前記取付部の基部が嵌挿するように設けた取付孔とにより形成し、前記扉の閉鎖時に前記収納部の側方に位置していた扉の側壁端部が、扉の開放時には前記収納部の奥側に移動しながら扉が開放される構成としたので、扉の開閉手段が外部に露出することがなくなり外観が良くなるとともに、絞り加工の必要がなく、扉の着脱を可能にした機器の扉開閉装置を提供できる。
【００２２】
また、扉の固定手段を、機器側枠片に設けられ、中央部分に固定孔を有した台形状の固定板と、この固定板の固定孔に係合し固定されるように前記扉の裏側に設けた固定突部および、前記固定板の台形状部が係合し案内されるように扉側枠片に形成した切欠きとにより構成したので、固定手段は、扉の閉鎖時の案内の役目および固定の役目が果され、扉が正確な位置に確実に固定することができる。
【００２３】
また、係止部の上方に機器側枠片に向かい突出し、扉の閉鎖時に扉側枠片の内面を前記機器側枠片側に押圧する押圧部を設けたので、機器に扉が密着して取り付けられる。
【００２４】
また、基部を垂直片と水平片により角形状に形成したので、基部の加工が容易となる。
【００２５】
また、基部を円弧面により円弧状に形成したので、扉の開閉をスムーズに行うことができる。
【００２６】
【図面の簡単な説明】
【図１】本発明の実施の形態１の機器の扉開閉装置の扉の閉鎖時の状態を示す断面図
【図２】同機器の扉開閉装置の構成を示す機器の斜視図
【図３】同機器の扉開閉装置の扉の半開放時の状態を示す断面図
【図４】同機器の扉開閉装置の扉の全開放時の状態を示す断面図
【図５】同機器の扉開閉装置の取付部の構成を示す拡大斜視図
【図６】同機器の扉開閉装置の扉の背面図
【図７】同機器の扉開閉装置の固定板の構成を示す拡大斜視図
【図８】本発明の実施の形態２の機器の扉開閉装置の取付部の構成を示す拡大斜視図
【図９】同機器の扉開閉装置の扉の閉鎖時の状態を示す断面図
【図１０】本発明の実施の形態３の機器の扉開閉装置の取付部の構成を示す拡大斜視図
【図１１】同機器の扉開閉装置の扉の半開放時の状態を示す断面図
【図１２】従来の機器の扉開閉装置の構成を示す斜視図
【符号の説明】
３      機器
４      機器側枠片
４Ａ    機器側枠片
５      扉
５ａ    側壁
５ｂ    側壁端部
６      扉側枠片
６Ａ    扉側枠片
６ａ    内面
７      収納部
８      基部
８Ａ    基部
８Ｂ    基部
８ａ    垂直片
８ｂ    水平片
９      係止部
９Ａ    係止部
１０    取付部
１１    取付孔
１２    開閉手段
１３    固定孔
１４    固定板
１５    固定突部
１６    切欠き
１７    固定手段
１８    押圧部
１９    円弧面
【図１】
0003730047.tif 000002
【図２】
0003730047.tif 000003
【図３】
0003730047.tif 000004
【図４】
0003730047.tif 000005
【図５】
0003730047.tif 000006
【図６】
0003730047.tif 000007
【図７】
0003730047.tif 000008
【図８】
0003730047.tif 000009
【図９】
0003730047.tif 000010
【図１０】
0003730047.tif 000011
【図１１】
0003730047.tif 000012
【図１２】
0003730047.tif 000013